(57)【特許請求の範囲】
【請求項１】
乳母車に上方から被せるように装着して用いる乳母車用カバーにおいて、
前下方に位置し前面を形成する前面シートと、側面及び背面を形成する一対の側面シートと、後方に背面カバーを連接した上面シートと、前記前面シートの上方に位置する開閉可能な開閉シートとを備え、各シートは透明な樹脂によって形成されており、
前記前面シートは、両側縁で前記側面シートの前縁と縫着され、該前面シートの下端近傍が後方に折り曲げられて両側縁を前記側面シートの底縁の前端近傍と縫着された折り曲げ部を有し、
前記側面シートは、前方に位置し縦方向に延設する前記前縁と、該前縁の下端から後方へ延設する前記底縁と、前記前縁の上端から上後方に向かって延設する斜縁と、該斜縁の上端から後方に延設する上縁と、上縁の後端から下方に延設する後縁と、前記底縁と後縁の間を繋ぐ曲線で形成された曲線縁とを有し、後縁で対を成す他方の側面シートと縫着されて前記乳母車の背面を覆い、
前記上面シートは、前方に位置する天板部と後方に位置する背面カバーとを備え、該天板部の両側縁は前記側面シートの上縁の前半部分と縫着され、
前記背面カバーは、後端が自由端とされて前記乳母車の後方に位置する前記側面シートを覆っていることを特徴とする乳母車用カバー。
【請求項２】
前記側面シートは、斜縁から前縁の上端近傍位置まで係止具が取付けられ、
前記開閉シートは、両側縁に前記側面シートの係止具と係止する係止具が取付けられ、前記側面シートの係止具と開閉シートの係止具とが係止状態となる又は開状態となることによって開閉シートが係止状態又は自由状態とされ、
開閉シートの下端近傍と、前記前面シートの上端近傍は重なり合っていることを特徴とする請求項１に記載の乳母車用カバー。
【請求項３】
前記側面シート及び開閉シートに取付けられた係止具は、ファスナーであることを特徴とする請求項２に記載の乳母車用カバー。
【請求項４】
前記側面シート及び開閉シートに取付けられた係止具は、面ファスナーであることを特徴とする請求項２に記載の乳母車用カバー。
【請求項５】
前記開閉シートは、開閉シートの係止具が取付けられた両側縁近傍に、端縁を折り返すことによって形成された係止具カバーを備えていることを特徴とする請求項２乃至請求項４のいずれかに記載の乳母車用カバー。
【請求項６】
前記側面シートは、複数の小孔によって形成された通気口と、該通気口を塞ぐことのできる通気口カバーと、通気口カバーを開状態又は閉状態で固定する固定具を備え、
該通気口カバーは、前記側面シートが備える固定具と係止する固定具を有していることを特徴とする請求項１乃至請求項５のいずれかに記載の乳母車用カバー。
【請求項７】
前記側面シート及び通気口カバーが有する固定具は、スナップボタンであることを特徴とする請求項６に記載の乳母車用カバー。
【請求項８】
前記側面シート及び通気口カバーが有する固定具は、面ファスナーであることを特徴とする請求項６に記載の乳母車用カバー。
【請求項９】
各シートの外周縁及び他のシートとの縫着部には厚手の樹脂布が縫合されていることを特徴とする請求項１乃至請求項８のいずれかに記載の乳母車用カバー。
【発明の詳細な説明】
【技術分野】
【０００１】
本発明は、乳母車を覆う乳母車用カバーに関する。
【背景技術】
【０００２】
乳母車に乗せた乳幼児を、風雨や大気汚染から保護するためのものとして乳母車用カバーがある。この乳母車用カバーは、乳母車に被せて又は括り付けて或いはその他の方法で乳母車に装着し、乳母車に乗った乳幼児を乳母車ごと覆うことにより乳幼児を保護するものである。
【０００３】
このような乳母車用カバーに関して様々な提案がなされている。例えば、実登３０９４７２０号公報（特許文献１）では、前方カバーをスリット状に形成し、前方カバーの両側縁をファスナーによって側方カバーに係着させる形状とすることにより、乳幼児等を乳母車に乗せるとき或いは降ろすときに乳母車用カバーを外す必要が無い乳母車用カバーについて提案がなされている。
【０００４】
又、特開２００４−３３８７０５号公報（特許文献２）では、乳母車の押し手フレームが挿入される挿入部と、乳母車の前フレームと連結する連結部とを備え、前方カバーを不動部とスリット状の開閉部とから形成し、乳母車の上方から被せることによって装着する乳母車用カバーについて提案がなされている。この乳母車用カバーは、乳母車に被せて装着するものであり、シンプルな構造となっているため、対面式の乳母車、非対面式の乳母車に関わらず簡単に装着することができる。又、特許文献１の提案と同様に、乳母車用カバーを外すことなく乳幼児を乳母車に乗せる或いは降ろすことができるものである。
【特許文献１】実登３０９４７２０号公報
【特許文献２】特開２００４−３３８７０５号公報
【発明の開示】
【発明が解決しようとする課題】
【０００５】
上述したような従来の乳母車用カバーは、側面シートや前面シート、天板シート等の各シートの縫着部に芯等を挿入して補強していた。このような乳母車用カバーは、耐久度は上がるが装着可能な乳母車の種類が制限され、近年多様化する乳母車においては使用できないものも多々発生していた。又、芯等を備えているため、収納時に折り畳むことが困難であり、収納性及び利便性が低下するといった問題点もあった。
【０００６】
本発明は、上述したような従来技術の問題点に鑑みて成されたものであり、多種の乳母車に容易に装着可能であって、利便性に富み、収納も容易な乳母車用カバーを提供することを目的としている。
【課題を解決するための手段】
【０００７】
本発明は、乳母車に上方から被せるように装着して用いる乳母車用カバーにおいて、前下方に位置し前面を形成する前面シートと、側面及び背面を形成する一対の側面シートと、後方に背面カバーを連接した上面シートと、前記前面シートの上方に位置する開閉可能な開閉シートとを備え、各シートは透明な樹脂によって形成されており、前記前面シートは、両側縁で前記側面シートの前縁と縫着され、該前面シートの下端近傍が後方に折り曲げられて両側縁を前記側面シートの底縁の前端近傍と縫着された折り曲げ部を有することを特徴とするものである。
【０００８】
又、前記側面シートは、前方に位置し縦方向に延設する前記前縁と、該前縁の下端から後方へ延設する前記底縁と、前記前縁の上端から上後方に向かって延設する斜縁と、該斜縁の上端から後方に延設する上縁と、上縁の後端から下方に延設する後縁と、前記底縁と後縁の間を繋ぐ曲線で形成された曲線縁とを有し、後縁で対を成す他方の側面シートと縫着されて前記乳母車の背面を覆っているものである。
【０００９】
更に、前記上面シートは、前方に位置する天板部と後方に位置する背面カバーとを備え、該天板部の両側縁は前記側面シートの上縁の前半部分と縫着され、前記背面カバーは、後端が自由端とされて前記乳母車の後方に位置する前記側面シートを覆っているものである。
【００１０】
そして、前記側面シートは、斜縁から前縁の上端近傍位置まで係止具が取付けられ、前記開閉シートは、両側縁に前記側面シートの係止具と係止する係止具が取付けられ、前記側面シートの係止具と開閉シートの係止具とが係止状態となる又は開状態となることによって開閉シートが係止状態又は自由状態とされ、開閉シートの下端近傍と、前記前面シートの上端近傍は重なり合っているものである。
【００１１】
又、前記側面シート及び開閉シートに取付けられた係止具は、ファスナー又は面ファスナーとされることを特徴とするものである。
【００１２】
更に、前記開閉シートは、開閉シートの係止具が取付けられた両側縁近傍に、端縁を折り返すことによって形成された係止具カバーを備えていることを特徴とするものである。
【００１３】
又、前記側面シートは、複数の小孔によって形成された通気口と、該通気口を塞ぐことができる通気口カバーと、通気口カバーを開状態又は閉状態で固定する固定具を備え、該通気口カバーは、前記側面シートが備える固定具と係止する固定具を有しているものである。
【００１４】
そして、前記側面シート及び通気口カバーが有する固定具は、スナップボタン又は面ファスナーであることを特徴とするものである。
【００１５】
更に、各シートの外周縁及び他のシートとの縫着部には厚手の樹脂布が縫合されているものである。
【発明の効果】
【００１６】
本発明の乳母車用カバーによれば、前面シートが折り曲げ部を有することにより、折り曲げ部が足掛け等と係止するため、乳母車から乳母車用カバーが外れる危険性が低くなり、且つ、泥よけとなるため、雨の日等に車輪からはねる泥や水によって足掛け等が汚れることを防止できる。
【００１７】
又、側面シートが後縁で対を成す他方の側面シートと縫着し、側面シートの後縁の下方に曲線縁を備えた形状とすることにより、乳母車用カバーの下方の開口を大きく広げることができるため、乳母車用カバーを乳母車に装着することが容易となり、更に、乳母車用カバーを乳母車に装着した場合、側面シートの曲線縁が後縁の下端から末広がりの形状となるため、乳母車の背面や下方に設置された収納部に荷物等を出し入れすることが容易となる。
【００１８】
更に、上面シートを天板部と背面カバーとから形成し、背面カバーの後端を自由端とすることにより、上面シートと側面シートの間から風雨が侵入することを防止できると共に、乳母車の背面が風雨にさらされることを防止でき、又、背面の上方に収納部を備える乳母車においても背面カバーをまくり上げることにより乳母車用カバーを取り外すことなく荷物等を出し入れすることができる。
【００１９】
又、開閉シート及び側面シートに係止具としてのファスナーを取付けることにより、開閉シートが開閉可能となるため、乳母車用カバーを取り外すことなく乳幼児を着座又は抱き上げることが可能となり、乳母車用カバーの利便性を高めることができる。又、側面シート及び開閉シートが有する係止具を面ファスナーとした場合には、ファスナーを用いた場合よりも係止具の開閉が容易となるため開閉シートを容易に開閉できる。
【００２０】
そして、開閉シート及び側面シートの係止具の係止部を覆う係止具カバーを備えることにより、係止部から風雨が乳母車用カバーの内部に侵入することを防止できる。
【００２１】
更に、前記側面シートが通気口及び通気口カバーを備えることにより、乳母車用カバー内部の空気を循環させることができ、又、雨の時等に通気口カバーで通気口を塞ぐことにより通気口から風雨が乳母車用カバーの内部に侵入することを防止できる。
【００２２】
又、側面シート及び通気口カバーが固定具とするスナップボタンを有することにより、通気口カバーを開状態又は閉状態のままで固定することができ、開閉も容易となる。更に、固定具として面ファスナーを用いた場合も同様の効果を得ることができる。
【００２３】
そして、各シートの外周縁及び他のシートとの縫着部に厚手の樹脂布を縫合することにより、各シートの外周縁及び他のシートとの縫着部を補強することができ、耐久性の高い乳母車用カバーを提供することができる。
【発明を実施するための最良の形態】
【００２４】
本発明を実施するための最良の形態の乳母車用カバー1は、乳母車に上方から被せるように装着して用いるものであって、前下方に位置し前面を形成する前面シート11と、側面及び背面を形成する一対の側面シート12と、後方に背面カバー13bを連接した上面シート13と、開閉可能な開閉シート14とを備え、各シートは透明な樹脂によって形成されているものである。
【００２５】
又、前面シート11は、両側縁で側面シート12の前縁12aと縫着され、前面シート11の下端近傍は後方に折り曲げられて両側縁を側面シート12の底縁12bの前端近傍と縫着された折り曲げ部11aを有するものである。
【００２６】
更に、側面シート12は、前方に位置し縦方向に延設する前縁12aと、前縁12aの下端から後方へ延設する底縁12bと、前縁12aの上端から上後方に向かって延設する斜縁12dと、該斜縁12dの上端から後方に延設する上縁12cと、上縁12cの後端から下方に延設する後縁12eと、底縁12bと後縁12eの間を繋ぐ曲線で形成された曲線縁12fとを有し、後縁12eで対を成す他方の側面シート12と縫着されて乳母車2の背面を覆っているものである。
【００２７】
又、上面シート13は、前方に位置する天板部13aと後方に位置する背面カバー13bとを備え、天板部13aの両側縁は側面シート12の上縁12cの前半近傍と縫着され、側面シートの上端後半は乳母車2の後方へ折り込むようにして両側の側面シート12の後縁12eが縫着され、上面シート13の背面カバー13bは、天板部13aから後方に延設されて後端が自由端とされていることを特徴とするものである。
【００２８】
そして、側面シート12は、斜縁12dから前縁12aの上端近傍位置まで係止具とするファスナー21を有し、開閉シート14は、両側縁に側面シート12のファスナー21と係止するファスナー31を有し、側面シート12の係止具と開閉シート14の係止具との係止状態が開く又は閉じることによって開閉シート14が自由状態又は固定状態とされ、開閉シート14の下端近傍と、前面シート11の上端近傍は重なり合っているものである。又、開閉シート14は、ファスナー31が取付けられた両側縁近傍に折り返すことによって形成された係止具カバー32を備えているものである。
【００２９】
更に、側面シート12は、複数の小孔によって形成された通気口22と、通気口22を塞ぐことができる可動とされた通気口カバー23と、通気口カバー23を開状態又は閉状態で固定する固定具とするスナップボタン24a,24bを備え、通気口カバー23は、側面シート12が備えるスナップボタン24a,24bと係止する固定具とするスナップボタン25を表裏両面に有しているものである。
【００３０】
そして、各シートの外周縁及び他のシートとの縫着部には厚手の樹脂布が縫合されているものである。
【実施例】
【００３１】
以下、本発明の実施例を図に基づいて詳説する。図１及び図２に示すように、本実施例の乳母車用カバー1は、乳母車2の上方から覆い被せて用いるものであり、乳母車2に着座された乳幼児を風雨や車の排気ガス等の大気汚染から保護するためのものである。
【００３２】
乳母車2は、乳幼児を着座させる座部3と、乳幼児の背中を保持する背凭れ部4と、座部3及び背凭れ部4を支持するフレーム5を備え、フレーム5は、前脚フレーム6と後脚フレーム7とがそれぞれ左右一対ずつ設置され、前脚フレーム6の各々に前車輪6aが旋回可能に取りつけられ、後脚フレーム7の各々に後車輪7aが取りつけられ、前足フレーム6に取付けられた前車輪6aの近傍には足掛け6bが取付けられているものである。又、フレームの上方には乳母車を操作するハンドル8が設置され、更に、乳幼児を日光から守るための庇9が乳幼児の頭部を覆うように設置されている。又、座部3の下方には収納部10が設置されている。
【００３３】
又、乳母車用カバー1は、前下方に位置し前面を形成する前面シート11と、側面及び背面を形成する一対の側面シート12と、後方に背面カバー13bを連接した上面シート13と、開閉可能な開閉シート14とを備えるものである。
【００３４】
この前面シート11は、乳母車2の座部3近傍から前車輪6a近傍に位置するものであり、方形状で柔軟性を有し透明な樹脂によって形成され、両側縁が後述する側面シート12の前縁12aに縫着されているものである。又、前面シート11の下端近傍は後方に折り曲げられて折り曲げ部11aを形成しており、この折り曲げ部11aの両側縁が後述する側面シート12の底縁12bの前端近傍に縫着されているものである。この折り曲げ部11aは、乳母車2に乳母車用カバー1を被せた場合において、乳母車2の足掛け6b等と係止することにより乳母車用カバー1が乳母車2から外れることを防止すると共に、雨等で道が汚れている場合に泥よけの役目を果たすものである。
【００３５】
又、前面シート11の外周縁及び側面シート12との縫着部には厚手の樹脂布が縫合されており、前面シート11の外周縁や縫着部を覆っている。更に、図示しないが、前面シート11には幼児等に人気のあるキャラクター等が印刷されているものである。
【００３６】
側面シート12は、前面シート11と同様の柔軟性を有し透明な樹脂によって形成され、図３に示すように、前端に位置し縦方向に延設する前縁12aと、前縁12aの下端から後方に延設する底縁12bと、前縁12aの上端から斜め上後方に向かって延設する斜縁12dと、斜縁12dの上端から後方に延設し前方約半分を上部縫着部とし、後方約半分を自由端として乳母車の後方に折り込む上縁12cと、上縁12cの後端から下方に延設する後縁12eと、底縁12bの後端と後縁12eの下端との間を繋ぐ曲線で形成された曲線縁12fとを備えた形状とされるものである。
【００３７】
そして、側面シート12は、前縁12aに図１及び図２に示した前面シート11が縫着され、底縁12bの前端近傍に前面シート11の折り曲げ部11aが縫着され、斜縁12dから前縁12aの上端近傍まで開閉シート14を係止する係止具としてのファスナー21が取付けられているものである。
【００３８】
又、側面シート12の上縁12cは、前方に位置する上部縫着部と、上部縫着部よりも後方に位置して乳母車2の後方へ折り込まれる背面上縁部とから形成され、上部縫着部に図１及び図２に示した上面シート13が縫着され、側面シート12の後縁12eは、対を成す他方の側面シート12の後縁12eと縫着されているものである。更に、この側面シート12の外周縁及び他のシートとの縫着部には、厚手の樹脂布が縫合されており、側面シート12の外周縁や他のカバーとの縫着部の強度を補強しているものである。
【００３９】
そして、乳母車2に乳母車用カバー1を装着した場合、図１に示したように上縁12cの上部縫着部は乳母車2の側面上端に位置し、上縁12cの背面上縁部は図２に示したように乳母車2の背面上端に位置し、後縁12eは乳母車2の背面に位置し、曲線縁12fは、乳母車2の背面から側面に掛けて、乳母車2の背面に位置する後縁12eの下端から末広がりに位置しているものである。又、上縁12cの上部縫着部の後方に設けた背面上縁部と上面シート13の後方に配置した背面カバー13bとの間に乳母車2のハンドル8が貫挿され、背面カバー13bがハンドル8の間に挿入されて側面シート12における背面部分を覆っているものである。
【００４０】
又、側面シート12は、図３に示したように、斜縁12dと上縁12cとの角部近傍に複数の小孔によって形成された通気口22と通気口22を塞ぐ可動な通気口カバー23と、通気口カバー23を開状態又は閉状態で係止するものであって固定具とされるスナップボタン24a,24bを備えるものである。
【００４１】
この通気口22は、複数の小孔が略半円形状に並べて形成され、乳母車用カバー1内部の空気を循環させる又は空気の入れ換えを行なうものである。又、通気口カバー23は、柔軟性を有した樹脂によって形成され、通気口22の外形状よりも僅かに大きな略半円形状であり、直径部分が通気口22の外形状の直径と平行且つ近傍に位置するように側面シート12に逢着され、縫着部分で回動可能とされたものである。更に、この通気口カバー23は、表裏両面に側面シート12のスナップボタン24a,24bと係止するものであって固定具とされるスナップボタン25が取付けられているものである。尚、通気口22と対向する側の面を裏面、逆の面を表面とする。
【００４２】
そして、側面シート12に形成されたスナップボタン24aは、通気口カバー23の裏面に取付けられたスナップボタン25と係止するものであり、通気口カバー23が通気口22を塞いだ状態の時に通気口カバー23の裏面に取付けられたスナップボタン25と対向する位置に形成されているものである。又、側面シート12のスナップボタン24bは、通気口カバー23の表面に取付けられたスナップボタン25と係止するものであり、通気口カバー23を開いた状態の時に通気口カバー23の表面に形成されたスナップボタン25と対向する位置に形成されているものである。
【００４３】
又、側面シート12には、前面シート11と同様に幼児等に人気のあるキャラクター等が印刷されているものである。
【００４４】
上面シート13は、図１及び図２に示したように、略方形状で透明な樹脂によって形成され、前方に位置する天板部13aと、後方に位置する背面カバー13bとを備え、天板部13aの前縁が開閉シート14の上端と縫着し、天板部13aの両側縁が側面シート12の上縁12cの前方に位置する上部縫着部と縫着している。又、背面カバー13bは後端を自由端とし、側面シート12の後端に被さっているものである。更に、上面シート13の縁部及び他のシートとの縫着部には厚手の樹脂布が縫合されており、上面シート13の外周縁及び他のシートとの縫着部を補強している。
【００４５】
そして、この上面シート13は、乳母車用カバー1を乳母車2に装着した場合、天板部13aは乳母車2の庇9上に位置しており、背面カバー13bは側面シート12の上縁12cの上部縫着部と背面上縁部の間に貫挿している乳母車2のハンドル8と庇9の間の間隙を貫挿して乳母車2の背面側に被さっている。このように上面シート13の背面カバー13bが乳母車2の背面側に被さっているのは、側面シート12と上面シート13の間の間隙を覆うためである。
【００４６】
開閉シート14は、略方形状で透明な樹脂によって形成され、両側縁にファスナー31を備え、両側端部近傍が内側に折り返されて係止具カバー32を形成しているものである。そして、上端縁が上面シート13の上端に縫着され、両側のファスナー31は側面シート12のファスナー21と開閉可能に係止し、この側面シート12のファスナー31と開閉シート14のファスナー31との係止部を係止具カバー32によって覆われているものである。又、開閉シート14の下端縁が前面シート11の上端縁よりも下方に位置し、前面シート11の上端近傍と開閉シート14の下端近傍が重なり合って、前面シート11と開閉シート14の間の間隙を覆っている。又、開閉シート14の外周縁及び他のシートとの縫着部並びに係止具カバー32の折り返し部には厚手の樹脂布が縫合されており、外縁を補強しているものである。
【００４７】
そして、この開閉シート14は、乳母車用カバー1を乳母車2に装着した場合、乳母車2の正面に位置するものであり、開閉シート14を開閉させることにより、乳母車用カバー1を乳母車2に装着した状態のままで乳幼児を乳母車2に座着させる或いは抱き上げることができるものである。
【００４８】
本発明の乳母車用カバー1によれば、前面シート11が折り曲げ部11aを有することにより、折り曲げ部11aが足掛け6b等と係止するため、乳母車2から乳母車用カバー1が脱着する危険性が低くなり、且つ、泥よけとなるため、雨の日等に車輪からはねる泥や水によって足掛け等が汚れることを防止できる。
【００４９】
又、側面シート12が後縁で対を成す他方の側面シート12と縫着し、側面シート12の後縁12eの下方に曲線縁12fを備えた形状とすることにより、乳母車用カバー1の下方の開口を大きく広げることができるため、乳母車用カバー1を乳母車2に装着することが容易となり、更に、乳母車用カバー1を乳母車2に装着した場合、側面シート12の曲線縁12fが後縁12eの下端から末広がりの形状となるため、乳母車2の背面や下方に設置された収納部10に荷物等を出し入れすることが容易となる。
【００５０】
更に、側面シート12が曲線縁12fを備えることにより、乳母車用カバー1の下方の開口面積が広くなるため乳母車2の大きさに関わらず乳母車用カバー1を容易に装着でき、更に、乳母車2は、背面や座部の下に荷物入れ等が取付けられている場合が多いが、このような荷物入れに荷物を出し入れすることも容易となる。
【００５１】
又、乳母車用カバー1にフレーム等を使用していないため、上述した実施例において述べた、乳幼児の背中側にハンドル8がついており、背面側から操作する非対面式の乳母車2に関わらず、対面式の乳母車においても乳母車用カバー1を使用でき、収納も容易であり、使い勝手の良い乳母車用カバー1を提供できる。
【００５２】
そして、上面シート13を天板部13aと背面カバー13bとから形成し、背面カバー13bの後端を自由端とすることにより、上面シート13と側面シート12の間から風雨が侵入することを防止できると共に、乳母車2の背面が風雨にさらされることも防止でき、又、背面の上方に収納部を備える乳母車においても背面カバー13bをまくり上げることにより乳母車用カバー1を取り外すことなく荷物等を出し入れすることができる。
【００５３】
又、開閉シート14及び側面シート12に係止具としてのファスナー21を取付けることにより、開閉シート14が開閉可能となるため、乳母車用カバー1を取り外すことなく乳幼児を着座又は抱き上げることが可能となり、乳母車用カバー1の利便性を高めることができる。
【００５４】
更に、開閉シート14及び側面シート12の係止具の係止部を覆う係止具カバー32を備えることにより、係止部から風雨が乳母車用カバー1の内部に侵入することを防止できる。
【００５５】
そして、側面シート12が通気口22及び通気口カバー23を備えることにより、乳母車用カバー1内部の空気を循環させることができ、又、雨の時等に通気口カバー23で通気口22を塞ぐことにより通気口22から風雨が乳母車用カバー1の内部に侵入することを防止できる。
【００５６】
又、側面シート12及び通気口カバー23が固定具とするスナップボタン24a,24b,25を有することにより、通気口カバー23を開状態又は閉状態のままで固定することができ、開閉も容易となる。
【００５７】
更に、各シートの外周縁及び他のシートとの縫着部に厚手の樹脂布を縫合することにより、各シートの外周縁及び他のシートとの縫着部を補強することができ、耐久性の高い乳母車用カバー1を提供することができる。
【００５８】
尚、上述した実施例においては、側面シート12及び開閉シート14の係止具をファスナー21,31としているが、面ファスナー等を用いることも可能である。又、通気口カバー23と側面シートの固定具をスナップボタンとしているが、面ファスナー等を用いることも可能である。
【００５９】
このように係止具及び固定具として面ファスナーを用いても上述した実施例と同様の作用効果を得ることができると共に、面ファスナーは互いの距離を離すだけで開くことができるため、開閉が容易となる。
【図面の簡単な説明】
【００６０】
【図１】本発明の実施例に係る乳母車用カバーを乳母車に装着した状態を正面側から見た斜視図。
【図２】本発明の実施例に係る乳母車用カバーを乳母車に装着した状態を背面側から見た斜視図。
【図３】本発明の係る乳母車用カバーの側面シートの側面図。
【符号の説明】
【００６１】
1  乳母車用カバー                    2  乳母車
3  座部                              4  背凭れ部
5  フレーム                          6  前脚フレーム
6a  前車輪                           6b  足掛け
7  後脚フレーム                      7a  後車輪
8  ハンドル                          9  庇
10  収納部
11  前面シート                       11a  折り曲げ部
12  側面シート                       12a  前縁
12b  底縁                            12c  上縁
12d  斜縁                            12e  後縁
12f  曲線縁                          13  上面シート
13a  天板部                          13b  背面カバー
14  開閉シート                       21  ファスナー
22  通気口                           23  通気口カバー
24a  スナップボタン                  24b  スナップボタン
25  スナップボタン                   31  ファスナー
32  係止具カバー
【図１】
0005225659.tif 000002
【図２】
0005225659.tif 000003
【図３】
0005225659.tif 000004